(57)【要約】      （修正有）【課題】燃料改質の反応速度を向上させるとともに、１‐アルケンや増炭生成物を得ることができるようにする。【解決手段】燃料改質システムは、燃料と水とを超臨界又は亜臨界状態にする臨界化装置と、臨界化装置から送出され、かつ、互いに混流させた超臨界状態又は亜臨界状態にある燃料と水とを加熱混合する燃料加熱混合装置と、この燃料混合装置から送出された混合流体を改質する改質装置とを有する。燃料改質方法は、燃料と水とを超臨界又は亜臨界状態にした後、その超臨界状態又は亜臨界状態にある燃料と水とを互いに混流させて加熱混合し、その加熱混合した混合流体を改質する。【選択図】図２
2010203340.tif 000002
【特許請求の範囲】
【請求項１】
燃料と水とを超臨界又は亜臨界状態にする臨界化装置と、
臨界化装置から送出され、かつ、互いに混流させた超臨界状態又は亜臨界状態にある燃料と水とを加熱混合する燃料加熱混合装置と、
この燃料混合装置から送出された混合流体を改質する改質装置とを有することを特徴とする燃料改質システム。
【請求項２】
燃料加熱混合装置は、これの少なくとも一部に改質触媒を有することを特徴とする請求項１に記載の燃料改質システム。
【請求項３】
燃料加熱混合装置は、上記燃料と水との混合流体の流れ方向を少なくとも一回以上変化させるものであることを特徴とする請求項１又は２に記載の燃料改質システム。
【請求項４】
燃料加熱混合装置は、上記燃料と水との混合流体の流れ方向を少なくとも一回以上変化させるための複数の混合用プレートを配列した構成を含むことを特徴とする請求項３に記載の燃料改質システム。
【請求項５】
燃料加熱混合装置は、上記燃料と水との混合流体を、少なくとも一回以上の分流をし又は合流をさせるものであることを特徴とする請求項１に記載の燃料改質システム。
【請求項６】
燃料加熱混合装置は、上記燃料と水との混合流体を、少なくとも一回以上の分流をし又は合流をさせるための複数の混合プレートを互いに所要の間隔で配列していることを特徴とする請求項５に記載の燃料改質システム。
【請求項７】
燃料加熱混合装置は、これを流路を流通する混合流体に対流を起こさせるように温度差を生じさせるものであることを特徴とする請求項１に記載の燃料改質システム。
【請求項８】
燃料加熱混合装置は、これを流通する混合流体に対流を起こさせるように温度差を生じさせるための加熱冷却部を有していることを特徴とする請求項７に記載の燃料改質システム。
【請求項９】
改質装置から送出された燃料に含まれる特定の中間生成物の含有度合いに基づいて、燃料混合装置の温度を昇降する温度調整手段を設けたことを特徴とする請求項１〜８のいずれか１項に記載の燃料改質システム。
【請求項１０】
請求項１〜９のいずれか１項に記載の燃料改質システムを搭載し、その燃料改質システムによって改質した燃料ガスを内燃機関に送給するようにしたことを特徴とする燃料改質システムを用いた自動車。
【請求項１１】
燃料と水とを超臨界又は亜臨界状態にした後、その超臨界状態又は亜臨界状態にある燃料と水とを互いに混流させて加熱混合し、
その加熱混合した混合流体を改質することを特徴とする燃料改質方法。
【発明の詳細な説明】
【技術分野】
【０００１】
本発明は、例えば内燃機関や燃料電池等に用いられるものであり、改質しようとする互いに混流させた超臨界状態又は亜臨界状態にある燃料と水とを混合するための燃料改質システム、燃料改質システムを用いた自動車、及び燃料改質方法に関する。
【背景技術】
【０００２】
この種の従来技術として、燃料供給装置とした名称で、引用文献１に記載された構成のものがある。
引用文献１に記載された燃料供給装置は、内燃機関に燃料を供給するものであり、その燃料を加圧及び加熱することにより超臨界状態とする超臨界状態生成手段と、超臨界状態となった燃料の改質を行う改質触媒とを備え、超臨界状態となり改質された燃料を前記内燃機関に供給することを特徴としたものである。
【先行技術文献】
【特許文献】
【０００３】
【特許文献１】特開２００４−１６２５８６０号公報
【発明の概要】
【発明が解決しようとする課題】
【０００４】
しかしながら、上記引用文献１に記載のものでは、改質しようとする互いに混流させた超臨界状態又は亜臨界状態にある燃料と水とを、必ずしも十分に混合することができていないという欠点がある。
【０００５】
そこで本発明は、燃料改質の反応速度を向上させることができる燃料改質システム、燃料改質システムを用いた自動車、及び燃料改質方法の提供を目的としている。
【課題を解決するための手段】
【０００６】
上記目的を達成するための本発明に係る燃料改質システムは、燃料と水とを超臨界又は亜臨界状態にする臨界化装置と、臨界化装置から送出され、かつ、互いに混流させた超臨界状態又は亜臨界状態にある燃料と水とを加熱混合する燃料加熱混合装置と、この燃料混合装置から送出された混合流体を改質する改質装置とを有することを特徴としている。
【０００７】
上記目的を達成するための本発明に係る自動車は、上記した燃料改質システムを搭載し、その燃料改質システムによって改質した燃料ガスを内燃機関に送給するようにしたことを特徴としている。
【０００８】
同上の目的を達成するための本発明に係る燃料改質方法は、燃料と水とを超臨界又は亜臨界状態にした後、その超臨界状態又は亜臨界状態にある燃料と水とを互いに混流させて加熱混合し、その加熱混合した混合流体を改質することを特徴としている。
【発明の効果】
【０００９】
本発明によれば、燃料改質の反応速度を促進向上させることができる。
【図面の簡単な説明】
【００１０】
【図１】本発明の一実施形態に係る流体混合装置を適用した内燃機関システムの概略構成を示すブロック図である。
【図２】同上の流体混合装置の構造を示す説明図である。
【図３】一例に係る混合機構の要部をなす複数の混合プレートの配列を示す説明図である。
【図４】他例に係る混合機構の要部をなす複数の混合プレートの配列を示す説明図である。
【発明を実施するための形態】
【００１１】
以下に、本発明を実施するための形態について、図面を参照して説明する。図１は、本発明の一実施形態に係る流体燃料改質システムを適用した内燃機関システムの概略構成を示すブロック図である。
【００１２】
図１に示す一例に係る内燃機関システムＡは、内燃機関１０、改質燃料溜め１５、燃料改質システムＥ、及びエンジンコントロールユニットＣ及び図示しない水タンク，燃料タンクを有して構成されている。
【００１３】
本発明の一実施形態に係る燃料改質システムＥは、臨界化装置Ｄ、流体混合装置Ｂ及び改質装置３０を有している。
臨界化装置Ｄは、燃料と水とを超臨界又は亜臨界状態にするためのものであり、水加熱部４０、燃料加熱部５０、水高圧ポンプ６０及び燃料高圧ポンプ７０を有している。
【００１４】
水高圧ポンプ６０は、水タンク（図示しない）から送給された水を所要の臨界圧力以上に昇圧して圧送する機能を有するものであり、昇圧された水は送給パイプ６１を通じて水加熱部４０に送給するようになっている。
【００１５】
水加熱部４０は、水高圧ポンプ６０から送給パイプ６１を通じて圧送された水を、所要の臨界温度に加熱昇温する機能を有するものであり、加熱された水は送給パイプ４１を通じて、詳細を後述する流体混合装置Ｂに送給されるようになっている。
【００１６】
燃料高圧ポンプ７０は、図示しない燃料タンクから送給された燃料を所要の臨界圧力に昇圧して圧送する機能を有するものであり、昇圧された燃料は連結パイプ７１を通じて燃料加熱部５０に圧送するようになっている。
【００１７】
燃料加熱部５０は、燃料高圧ポンプ７０から送給パイプ７１を通じて圧送された燃料を、所要の臨界温度に加熱昇温する機能を有するものであり、加熱された燃料は送給パイプ５１を通じて、流体混合装置Ｂ１に送給されるようになっている。
【００１８】
一例に係る流体混合装置Ｂは、図２に示す構造になっている。図２は、一例に係る流体混合装置Ｂ１の構造を示す説明図である。
まず、一例に係る流体混合装置Ｂは、改質しようとする互いに混流させた超臨界状態又は亜臨界状態にある燃料と水とを、改質反応を促進させるように加熱混合する加熱混合機構Ｄ１を有しており、その構造は次のとおりである。
ここで「超臨界状態」とは、燃料や水を臨界圧力以上の圧力下で臨界温度以上の温度まで昇温することにより得られる状態を意味する。液体状の燃料を超臨界状態にまで昇圧昇温させることにより、燃料は気体に相変化するが、超臨界状態での気体は極めて高い密度を有するために液体に近い物性を示す。
【００１９】
一方、「亜臨界状態」は超臨界状態に近い状態のことである。
すなわち、「亜臨界状態」とは、その物質の温度又は圧力若しくはそれら双方が臨界圧力、臨界温度を下回った状態であり、臨界点に近い状態を指す。通常は、温度が沸点以上、臨界温度以下、圧力が１気圧から臨界圧力までの範囲が亜臨界状態である。
【００２０】
流体混合装置Ｂは、両端を開口した円筒形のケース８０内に、流路形成体８１、一例に係る加熱混合機構Ｄ１、及び流路形成体８２〜８５を、混合流体の流れ方向αに沿って順次配列するとともに、ケース８０の外周面に加熱体２０を被覆形成した構造のものである。
【００２１】
加熱体２０は、ケース８０の両端部間に亘る長さに形成された円筒形のものであり、たとえばニクロム線等の発熱部材が巻回して設けられている。
すなわち、この加熱体２０は、水加熱部４０及び燃料加熱部５０から送出され、詳細を後述する加熱混合機構Ｄ１で混合される混合流体の温度を、混合と同時に加熱調整するものであり、後述するエンジンコントロールユニットＣによって温度制御されるようになっている。
【００２２】
流路形成体８１は、ケース８０の内径よりもやや大きな外径にした鍔部８１ａと、そのケース８０内に嵌入する円柱形の嵌入部８１ｂとを一体に形成したものであり、その中心軸線Ｏ１に一致して、断面円形の流路形成孔８１ｃを配設したものである。なお、４２は、図１に示す送給パイプ４１，５１を連結した連結パイプである。
【００２３】
次に、一例に係る加熱混合機構Ｄ１について、図３をも参照して説明する。図３は、一例に係る加熱混合機構の要部をなす複数の混合プレートの配列を示す説明図である。
一例に係る混合機構Ｄ１は、上記燃料と水との混合流体の流れ方向を少なくとも一回以上変化させるものであり、４枚の混合プレート９０〜９３を一組とした、合計六組のプレート群ｄ１〜ｄ６を有している。
【００２４】
プレート群ｄ１〜ｄ６は、混合流体の流動方向αに沿って互いに積層した状態で、円板形の挟持板９４，９５間に挟持し、かつ、複数本のボルト９６…により、挟持したプレート群ｄ１〜ｄ６を押圧するように挟持板９４，９５どうしを螺着したものである。
【００２５】
挟持板９５には、上記中心軸線Ｏ１に一致して、換言すると、上記流路形成孔８１ｃに対向する位置に円形の流路形成孔９５ａが形成され、また、挟持板９４には、上記混合プレート９３の後述する混合用孔９３ａに対向する位置に円形の流路形成孔９４ａが形成されている。
【００２６】
図３に示すように、混合プレート９０は所要の外径と厚みにした円板形のものであり、中心軸線Ｏ１を通過する直径線Ｏ２を中心とした所要の幅と長さにした縦長方形の開口９０ａを形成したものである。なお、９０ｂ，９０ｂは、混合プレートどうしの位置合わせ用孔である。
【００２７】
混合プレート９０の外径，厚みについて一例を示すと、例えば直径１０ｍｍ、厚み０．１ｍｍに形成することができる。また、開口９０ａの幅，長さについては、上記した混合流体の流量や流速等を勘案して設定すればよいものである。
【００２８】
混合プレート９１は、混合プレート９０と同じ外径と厚みにした円板形のものであり、スリット９１ａを形成したものである。
スリット９１ａは、直径線Ｏ２を中心とする所要幅の横長方形に形成されており、具体的には、混合プレート９０の開口９０ａの幅と同じ寸法に形成されており、その開口９０ａに臨む位置であって一方の辺縁（図示上辺縁）９０ａ′近傍に配設されている。
なお、９１ｂ，９１ｂ（一方は図示していない）は、上記した位置合わせ用孔９０ｂ，９０ｂに対応する位置に形成された、混合プレートどうしの位置合わせ用孔である。
【００２９】
混合プレート９２は、上記混合プレート９０，９１と同じ外径と厚みにした円板形のものであり、中心軸線Ｏ１を通過する直径線Ｏ２を中心とした所要の幅と長さにした縦長方形の開口９２ａを形成したものである。なお、９２ｂ，９２ｂは、混合プレートどうしの位置合わせ用孔である。
【００３０】
混合プレート９３は、混合プレート９２と同じ外径と厚みにした円板形のものであり、スリット９３ａを形成したものである。
スリット９３ａは、直径線Ｏ２を中心とする所要幅の横長方形に形成されており、具体的には、混合プレート９２の開口９２ａの幅と同じ寸法に形成されており、その開口９２ａに臨む位置であって他方の辺縁９２ａ″近傍に配設されている。
なお、９３ｂ，９３ｂは、上記位置合わせ用孔９０ｂ，９０ｂに対応する位置に形成された、混合プレートどうしの位置合わせ用孔である。
【００３１】
プレート群ｄ１〜ｄ６をなす混合プレート９０〜９３の各表面には、本実施形態においては、改質触媒を塗布している。
改質触媒成分としては、ロジウム、ルテニウム、ニッケル、コバルト、鉄、銅、酸化モリブデン、酸化バナジウム、酸化タングステン、酸化チタンからなる群から選択される１種または２種以上の成分並びに、酸化ジルコニウム、酸化セリウム、酸化マグネシウム、および酸化アルミニウム、酸化タングステンからなる群から選択される１種又は２種以上のものを含有するハロゲン、硫酸イオン、リン酸イオンなどが含まれないことが望ましい。
【００３２】
なお、本実施形態においては、改質触媒をプレート群ｄ１〜ｄ６をなす混合プレート９０〜９３の各表面に塗布とした例について説明したが、必要に応じてプレート群ｄ１〜ｄ６の少なくともいずれか一の群をなす混合プレートのみに塗布するようにしてもよい。
要するに、必要に応じ枚数の混合プレートに塗布すればよい。
さらに、混合プレートに塗布することに限るものではなく、混合流体が接触する流路に塗布することができる。
【００３３】
図２に示す流路形成体８２は、中心に流路形成孔８２ａを形成した円柱形の本体８２ｂに、上記ボルト９６…を挿入するボルト孔８２ｃ…を形成した円板形の鍔部８２ｄと、この鍔部８２ｄの外周縁に周壁８２ｅを一体に形成したものである。
流路形成体８３，８４は、中心に流路形成孔８３ａ，８４ａをそれぞれ形成した円柱形のものである。
【００３４】
上記構成からなる流体混合装置Ｂの作用を加熱混合機構Ｄ１を中心として、図２，３を参照して説明する。
まず、燃料改質方法は、燃料と水とを超臨界又は亜臨界状態にした後、その超臨界状態又は亜臨界状態にある燃料と水とを互いに混流させて加熱混合し、その加熱混合した混合流体を改質することを内容としたものであり、その詳細は次のとおりである。
すなわち、図２に示す連結パイプ４２から流体混合装置Ｂに流入した当該混合流体は、各プレート群ｄ１〜ｄ６において、混合プレート９３のスリット９３ａを通じて混合プレート９２の開口９２ａの他方の辺縁９２ａ″に噴出する。
【００３５】
混合プレート９２の開口９２ａの他方の辺縁９２ａ″に噴出した混合流体は、その他方の辺縁９２ａ″から一方の辺縁９２ａ´に向け、その流れ方向が直角に変化する。
【００３６】
そして、一方の辺縁９２ａ′において、混合プレート９１のスリット９１ａに向け、再度その流れ方向が直角に変化し、今度は、当該スリット９１ａを通じて、混合プレート９０の開口９０ａの一方の辺縁９０ａ′に噴出される。
【００３７】
すなわち各プレート群ｄ１〜ｄ６において、その流れ方向が２回変化し、本実施形態においては、プレート群ｄ１〜ｄ６を流通する間に、流れ方向を１２回変化させている。これにより、燃料改質の反応速度を促進向上させられる。
【００３８】
図１に示す改質装置３０は、上述した流体混合装置Ｂから送出された燃料ガスの改質を行うものであり、ここで改質された燃料ガスは、流路である送給パイプ３１を通じて改質燃料溜め１５に送給するようになっており、後述するエンジンコントロールユニットＣによって温度制御されるようになっている。
【００３９】
改質燃料溜め１５は、所要量の燃料を一時的に貯留しておくものであり、これに一時的に貯留された燃料は、送給パイプ１６を通じて内燃機関１０に送給されるようになっている。
【００４０】
エンジンコントロールユニットＣは、ＣＰＵ（Central Processing Unit）、インターフェース回路及びメモリ（いずれも図示しない）等からなるものである。そのエンジンコントロールユニットＣの入力ポートには、内燃機関１０から送出される各種の信号とともに、改質装置３０や加熱混合機構Ｄ１の温度を測定するための温度センサ（図示しない）等が接続されている。
また、出力ポートには、加熱体２０、改質装置３０、水加熱部４０、燃料加熱部５０、水高圧ポンプ６０及び燃料高圧ポンプ７０が接続されている。
【００４１】
上記のエンジンコントロールユニットＣは、そのメモリに記憶されている所要のプログラムの実行により、改質装置３０から送出された燃料ガスに含まれる特定の中間生成物の生成度合いに基づいて、加熱体２０の温度を昇降する機能を有している。これを「温度調整手段Ｃ１」という。
【００４２】
「特定の中間生成物の含有度合い」と加熱体２０の温度との関係については、予め図示しないメモリに記憶させておき、これを参照して加熱体２０の温度を昇降するようにしている。
「中間生成物」としては、原料燃料に対して軽質化した、エタンやプロパンなどの直鎖飽和炭化水素類、分岐飽和炭化水素類、エチレン、プロピレン、ブテンなど不飽和炭化水素類、芳香族炭化水素類、アルコール、ケトン、カルボン酸等の含酸素化合物がある。
これらのうち、「特定の中間生成物」は、その目的により異なり、例えばオクタン価向上を狙う場合は分岐飽和炭化水素類、芳香族炭化水素類が該当し、またディーゼル燃料の着火性向上を狙う場合は含酸素化合物が該当する。
【００４３】
上述した一実施形態に係る装置によれば、次の各効果を得ることができる。
・混合状態を向上することにより、燃料改質の反応速度を向上させることができる。
また、例えば燃料として軽油等を採用した場合、その着火性を向上させることができる。
【００４４】
・改質反応停止手段を設けた構成にすることにより、高速な超臨界反応を制御可能となり、所望の生成物を生成できるようになる。
・上述した燃料改質システムを搭載し、その燃料改質システムによって改質した燃料ガスを内燃機関に送給するようにした自動車によれば、コンパクトに構成することができるので、自動車に搭載する上で好適である。
【００４５】
次に、他例に係る加熱混合機構について、図４を参照して説明する。図４は、他例に係る加熱混合機構の要部をなす複数の混合プレートの配列を示す説明図である。なお、他例に係る加熱混合機構は、上述した加熱混合機構Ｄ１と、混合用プレートの構成を除いて同等の構成になっているので、本例においては混合用プレートについてのみ説明する。
【００４６】
加熱混合機構Ｄ２は、上記した燃料と水との混合流体を、少なくとも一回以上の分流をし又は合流をさせる機能を有するものであり、具体的には、上記燃料と水との混合流体の流路を、少なくとも一回以上の分流をし又は合流をさせるための複数の混合プレートを互いに所要の間隔で配列した構成にしている。
【００４７】
本例において示す混合用プレート１００〜１０３は、互いに同一の外径にした円板形に形成したものであり、それらを一組として使用する。
混合用プレート１００は、中心軸線Ｏ１を通る直径線Ｏ２上であって、中心軸線Ｏ１を挟む両側対称位置に円形の流通孔１００ａ，１００ａを配設したものである。なお、１００ｂ，１００ｂは、混合用プレートどうしの位置合わせ用孔である。
【００４８】
混合用プレート１０１は、中心軸線Ｏ１を通る直径線Ｏ２上に、上記流通孔１００ａ，１００ａを内部に臨ませる長さにした図示縦長の流通開口１０１ａを形成したものである。なお、１０１ｂ，１０１ｂは、混合用プレートどうしの位置合わせ用孔である。
混合用プレート１０２は、中心軸線Ｏ１に一致して円形の流通孔１０２ａを形成したものである。なお、１０２ｂ，１０２ｂは混合用プレートどうしの位置合わせ用孔である。
混合用プレート１０３は、中心軸線Ｏ１を通る直径線Ｏ２上であって、中心軸線Ｏ１を挟む両側対称位置に円形の流通孔１０３ａ，１０３ａを配設したものであり、上記混合用プレート１００と同等の構成からなるものである。
なお、１０３ｂ，１０３ｂは、混合用プレートどうしの位置合わせ用孔である。
【００４９】
以上の構成からなる一組の混合用プレート１００〜１０３では、図２に示す連結パイプ４２から流体混合装置Ｂ１に流入した当該混合流体は、混合プレート１００の流通孔１００ａ，１００ａを通じて、混合プレート１０１の開口１０１ａの両辺縁１０１ａ′，１０１ａ″に噴出する。すなわち、２方向に分流される。
【００５０】
混合プレート１０１の開口１０１ａの両辺縁１０１ａ′，１０１ａ″に噴出した混合流体は、その開口に中央部に向けて流動し、混合プレート１０２の流通孔１０２ａから混合プレート１０３の開口１０３ａに向けて噴出される。すなわち、混合流体を合流させている。
【００５１】
すなわち、燃料と水との混合流体を、少なくとも一回以上の分流をし又は合流をさせることにより、燃料改質の反応速度を促進向上させることができる。
【００５２】
なお、本発明は上述した実施形態に限るものではなく、次のような変形実施が可能である。
・ 改質装置３０により改質された燃料ガスの温度調整を行う温度調整部を設けた構成にしてもよい。
温度調整部は、改質装置３０から送出された混合流体（燃料ガス）の流路に沿って配設され、その改質装置３０から送出された燃料ガスの温度を昇降調整するものであり、次の構成になっている。
【００５３】
すなわち、温度調整部は、改質装置３０により改質した燃料ガスを分流分岐させる複数の分岐パイプと、それら各分岐パイプに配設した開閉バルブと、各分岐パイプの両端部に配設した加熱用電極と、各分岐パイプの温度を測定するための温度センサを有して構成されている。
【００５４】
上記温度センサは、エンジンコントロールユニットＣの入力ポートに接続され、また、各開閉バルブと加熱用電極は、それぞれ当該出力ポートに接続されている。
すなわち、開閉バルブを開閉することにより、燃料ガスの流通に用いる分岐パイプを選択し、選択された分岐パイプを流通する燃料ガスへの加熱時間を調整することにより、当該燃料ガスの温度を昇降調整するようにしている。
そして、上記複数の分岐パイプの一部のものに、流通する燃料ガスを冷却するための冷却部を配設するとともに、その分岐パイプ（冷却用パイプ）の燃料ガスの流入端部に開閉バルブを配設する一方、上記の冷却部と開閉バルブとをエンジンコントロールユニットＣの出力ポートに接続した構成にする。
【００５５】
そして、改質した燃料ガスの改質反応を停止するときには、改質装置３０から送出された燃料ガスを冷却用パイプに流通させるように開閉バルブを切り替える。このエンジンコントロールユニットＣが有する当該機能を、改質反応停止手段という。
【００５６】
・上述した実施形態においては、特定枚数の混合用プレートを用いた例について説明したが、その枚数の設定は、燃料ガスの種類等を勘案して増減設定すればよいものである。
【００５７】
・上述した実施形態においては、混合用プレートを用いた例について説明したが、上記流路を流通する混合流体に対流を起こさせるように温度差を生じさせる機能を有する構成にすることができる。
具体的には、流路を流通する混合流体に対流を起こさせるように温度差を生じさせるための加熱冷却部を有した構成にすることができる。
・上述した実施形態においては、プレート群ｄ１〜ｄ６をなす混合プレート９０〜９３の各表面に改質触媒を塗布した例について説明したが、必ずしも改質触媒を設ける必要はない。
【符号の説明】
【００５８】
３０                        改質装置
９０〜９３、１００〜１０３  混合用プレート
Ｂ１                        燃料混合装置
Ｃ１                        温度調整手段
Ｃ２                        改質反応停止手段
Ｄ１，Ｄ２                  加熱混合機構
【図１】
2010203340.tif 000003
【図２】
2010203340.tif 000004
【図３】
2010203340.tif 000005
【図４】
2010203340.tif 000006